(57)【特許請求の範囲】
【請求項１】
無線通信システムにおけるＲＬＣ（無線リンク制御）エンティティーの受信側のみ再確立するとき、ＲＬＣリセットプロセスに関する変数を処理する方法であって、
上記ＲＬＣエンティティーの受信側のみ再確立するときにリセット状態変数をリセットすることを内容とし、該リセット状態変数は、ＲＬＣリセットプロセス起動用のリセットＰＤＵ（プロトコルデータユニット）がＲＬＣエンティティーによって送信される回数を計算するために用いられることを特徴とするＲＬＣリセットプロセス変数の処理方法。
【請求項２】
前記無線通信システムはＡＭ（アクノレッジ）モードで動作することを特徴とする請求項１記載のＲＬＣリセットプロセス変数の処理方法。
【請求項３】
無線通信システムにおけるＲＬＣエンティティーの受信側のみ再確立するときにＲＬＣリセットプロセスに関する変数を正確に処理するため、無線通信システムに用いられる通信装置であって、
通信装置の機能を実現させる制御回路と、
制御回路の中に設けられ、プログラムコードを実行して制御回路を制御する中央処理装置（ＣＰＵ）と、
制御回路の中でＣＰＵと結合されるように設けられ、プログラムコードを保存するための保存装置とを含み、そのうちプログラムコードは、
上記ＲＬＣエンティティーの受信側のみ再確立するときにリセット状態変数をリセットするステップを含み、該リセット状態変数は、ＲＬＣリセットプロセス起動用のリセットＰＤＵがＲＬＣエンティティーによって送信される回数を計算するために用いられることを内容とすることを特徴とする通信装置。
【請求項４】
前記無線通信システムはＡＭモードで動作することを特徴とする請求項３記載の通信装置。
【発明の詳細な説明】
【技術分野】
【０００１】
本発明は無線通信システムにおけるＲＬＣ（無線リンク制御）エンティティーの受信側のみ再確立するとき、ＲＬＣリセットプロセスに関する変数を処理する方法及び装置に関し、特にＲＬＣエンティティーの受信側のみ再確立した後、リセットＰＤＵ（プロトコルデータユニット）の再送可能回数を確保する方法及び装置に関する。
【背景技術】
【０００２】
第三世代移動通信技術はＷＣＤＭＡ（広帯域符号分割多元接続）方式で高いスペクトル利用効率、カバー率、通話品質及び高速伝送を実現させるとともに、ＱｏＳ（サービス品質）の確保、柔軟性のある双方向通信の実現、通話中断率の低減を可能にする。
【０００３】
３ＧＰＰが制定した通信プロトコルによれば、ＡＳ（アクセスストラタム）にはＲＲＣ（無線資源制御）、ＲＬＣ（無線リンク制御）、ＭＡＣ（媒体アクセス制御）、ＰＤＣＰ（パケットデータ収斂プロトコル）、ＢＭＣ（ブロードキャスト／マルチキャスト制御）など機能が異なる副層が含まれる。一方、第三世代移動通信システムは複数種の伝送品質に応じて、ＴＭ（透過モード）、ＵＭ（非アクノレッジモード）、ＡＭ（アクノレッジモード）モードを提供する。ＴＭモードは実時間通信を要求するサービスに適し、ＵＭモードは実時間通信とパケットシーケンスの正確性の両方とも要求するサービスに適し、ＡＭモードは実時間通信よりデータの正確性が求められるサービスに適する。
【０００４】
上記ＡＭモードにおいて、ＲＬＣ層は送信側（transmitting  side）と受信側（receiving  side）の組み合わせである。送信側と受信側とは、ＲＬＣ層において送受信を処理する部分をいい、両者はシステム資源を共用する。ＲＬＣ層を再確立する（例えばＰＤＵ（プロトコルデータユニット）サイズを変更するとき）とき、従来の技術は送信側と受信側のいずれかを再確立することでＲＬＣ層を再確立する。
【０００５】
ＲＬＣ層の動作について詳しくは、３ＧＰＰによる「3GPP  TS  25.322  V6.7.0  (2006-03),  “Radio  Link  Control  (RLC)  protocol  specification  (Release  6)”」規格の9.7.7を参照する。同規格は受信側のみの再確立について制御ＰＤＵとカウンターの処理方法を規定しているが、リセット状態変数VT(RST)の処理方法については説明が欠如である。
【０００６】
上記規格によれば、状態変数VT(RST)は、リセットＰＤＵがリセットプロセスの終了前にスケジューリングされる回数を計算するために用いられる。受信端から返送された状態ＰＤＵ（STATUS  PDU）やピギーバック状態ＰＤＵに誤ったシーケンス番号が含まれば、送信端は状態変数VT(RST)に１を足す。状態変数VT(RST)が上限値（すなわちプロトコルパラメータMaxRST）に達した場合、送信端は実行中のＲＬＣリセットプロセスを中止し、起動されたリセットタイマーTimer_RSTを止め、上位層に回復不能エラーを返送する。それに反して、状態変数VT(RST)がプロトコルパラメータMaxRSTに達していない場合、送信端はリセットＰＤＵを出力してＲＬＣリセットプロセスを起動させる。初期値が０である状態変数VT(RST)は、リセット肯定応答ＰＤＵ（RESET  ACK  PDU）を受信するときにのみリセットされ、ＲＬＣリセットプロセスの起動によってリセットされることはない。
【０００７】
ＲＬＣ層の受信側のみ再確立するとき、実行中のリセットプロセスはキャンセルとなり、それに代わって新たなリセットプロセスが再確立の完了後に起動され、キャンセルされたリセットプロセスの状態変数VT(RST)はそれによってリセットされない。この場合、状態変数VT(RST)が上限値に近ければ（例えばMaxRST-1）、リセットＰＤＵとリセット肯定応答ＰＤＵの送受信可能回数は１回のみとなる。リセットＰＤＵが受信端に届いていないか、もしくはリセット肯定応答ＰＤＵが送信端に届いていない場合、状態変数VT(RST)はリセットされないまま１を加えられ、上限値のプロトコルパラメータMaxRSTと一致するようになる。そうなると、受信端は実行中のＲＬＣリセットプロセスを中止して上位層に回復不能エラーを返送し、ＲＬＣエンティティーは再リセットを余儀なくされる。
【発明の開示】
【発明が解決しようとする課題】
【０００８】
本発明は前述の問題を改善するため、無線通信システムにおけるＲＬＣエンティティーの受信側のみ再確立するとき、ＲＬＣリセットプロセスに関する変数を処理する方法及び装置を提供することを課題とする。
【課題を解決するための手段】
【０００９】
本発明は無線通信システムにおけるＲＬＣ（無線リンク制御）エンティティーの受信側のみ再確立するとき、ＲＬＣリセットプロセスに関する変数を処理する方法を提供する。該方法は、上記ＲＬＣエンティティーの受信側のみ再確立するときにリセット状態変数をリセットすることを内容とする。該リセット状態変数は、ＲＬＣリセットプロセス起動用のリセットＰＤＵ（プロトコルデータユニット）がＲＬＣエンティティーによって送信される回数を計算するために用いられる。
【００１０】
本発明は更に、無線通信システムにおけるＲＬＣエンティティーの受信側のみ再確立するときにＲＬＣリセットプロセスに関する変数を正確に処理するため、無線通信システムに用いられる通信装置を提供する。該通信装置は、通信装置の機能を実現させる制御回路と、制御回路の中に設けられ、プログラムコードを実行して制御回路を制御する中央処理装置（ＣＰＵ）と、制御回路の中でＣＰＵと結合されるように設けられ、プログラムコードを保存するための保存装置とを含む。該プログラムコードは、上記ＲＬＣエンティティーの受信側のみ再確立するときにリセット状態変数をリセットするステップを含む。該リセット状態変数は、ＲＬＣリセットプロセス起動用のリセットＰＤＵがＲＬＣエンティティーによって送信される回数を計算するために用いられる。
【発明の効果】
【００１１】
本発明はリセット状態変数を適時にリセットすることで、伝送効率を高めて伝送時間を節約する。
【発明を実施するための最良の形態】
【００１２】
かかる方法及び装置の特徴を詳述するために、具体的な実施例を挙げ、図示を参照して以下に説明する。
【００１３】
図１を参照する。図１は無線通信システムの無線通信装置１００のブロック図である。説明を簡素化するため、図１は無線通信装置１００の入力装置１０２、出力装置１０４、制御回路１０６、ＣＰＵ（中央処理装置）１０８、保存装置１１０、プログラムコード１１２及びトランシーバー１１４のみ描くとする。無線通信装置１００では、制御回路１０６はＣＰＵ１０８で保存装置１１０に保存されるプログラムコード１１２を実行し、無線通信装置１００の動作を制御する。制御回路１０６は入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６からの信号を無線で出力する。言い換えれば、通信プロトコルに当てはめれば、トランシーバー１１４は第一層の一部とみなされ、制御回路１０６は第二層と第三層の機能を実現させる装置である。
【００１４】
図２を参照する。図２は図１に示すプログラムコード１１２を表す説明図である。アプリケーション層２００と、第三層インターフェイス２０２と、第二層インターフェイス２０６からなるプログラムコード１１２は、第一層インターフェイス２１８と接続されている。信号を発するとき、第二層インターフェイス（ＲＬＣ層）２０６は第三層インターフェイス２０２によって出力されたデータに基づいて複数のＳＤＵ（サービスデータユニット）２０８を生成してバッファ２１２に保存する。その後、第二層インターフェイス２０６はバッファ２１２に保存されたＳＤＵ２０８に基づいて複数のＰＤＵ２１４を生成して第一層インターフェイス２１８を介して送信先に出力する。それに反して、無線信号を受信するときは第一層インターフェイス２１８で信号を受信し、これをＰＤＵ２１４形式で第二層インターフェイス２０６に出力する。その後、第二層インターフェイス２０６はＰＤＵ２１４をＳＤＵ２０８に還元してバッファ２１２に保存し、更にバッファ２１２に保存されるＳＤＵを第三層インターフェイス２０２に送信する。
【００１５】
ＡＭモードで動作する無線通信装置１００では、第二層インターフェイス２０６はリセット状態変数VT(RST)でリセットＰＤＵのスケジューリング回数を計算し、過大なスケジューリング回数に起因するシステム資源の浪費を防止する。本発明はリセット状態変数リセットプログラムコード２２０でリセット状態変数を適時にリセットすることで、システム機能を向上させ、ＲＬＣエンティティーの不必要な再確立を避ける。
【００１６】
図３を参照する。図３は本発明による方法のフローチャート３０である。下記方法は無線通信システムにおけるＲＬＣエンティティーの受信側のみ再確立するとき、ＲＬＣリセットプロセスに関する変数を処理するために用いられ、リセット状態変数リセットプログラムコード２２０としてコンパイルすることができる。
ステップ３００：開始。
ステップ３０２：ＲＬＣエンティティーの受信側のみ再確立するときにリセット状態変数をリセットする。該リセット状態変数は、ＲＬＣリセットプロセス起動用のリセットＰＤＵがＲＬＣエンティティーによって送信される回数を計算するために用いられる。
ステップ３０４；終了。
以上のとおり、本発明はＲＬＣエンティティーの受信側のみ再確立するときにリセット状態変数VT(RST)をリセットする。したがって、新たなリセットプロセスに対応するリセット状態変数VT(RST)は０から累計される。リセット状態変数VT(RST)の上限値（プロトコルパラメータMaxRST）を適宜に定めれば、リセットＰＤＵの再送可能回数は一定値に確保できる。
【００１７】
従来の技術はＲＬＣエンティティーの受信側のみ再確立するとき、状態変数VT(RST)をリセットしない。そのため、送信端は上位層に回復不能エラーを返送し、ＲＬＣエンティティーは不必要に再確立される。それと比べて、本発明はＲＬＣエンティティーの受信側のみ再確立するたびに状態変数VT(RST)をリセットするため、リセットＰＤＵの再送可能回数は一定値に確保できる。
【００１８】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００１９】
本発明は従来の動作条件に変更を加えたのみであり、当然実施可能である。
【図面の簡単な説明】
【００２０】
【図１】無線通信システムの無線通信装置のブロック図である。
【図２】図１に示すプログラムコードを表す説明図である。
【図３】本発明による方法のフローチャートである。
【符号の説明】
【００２１】
１００    無線通信装置
１０２    入力装置
１０４    出力装置
１０６    制御回路
１０８    ＣＰＵ
１１０    保存装置
１１２    プログラムコード
１１４    トランシーバー
２００    アプリケーション層
２０２    第三層インターフェイス
２０６    第二層インターフェイス
２０８    ＳＤＵ
２１２    バッファ
２１４    ＰＤＵ
２１８    第一層インターフェイス
２２０    リセット状態変数リセットプログラムコード
【図１】
0004422170.tif 000002
【図２】
0004422170.tif 000003
【図３】
0004422170.tif 000004